(57)【要約】【課題】記録機構部の上面を開閉する読み取り機構部を備える記録装置において、前記読み取り機構部の開閉センサーにユーザーが触れる虞を低減するとともに、操作性及びデザイン性に優れた記録装置を提供することにある。【解決手段】用紙Ｐに記録を行う記録機構部１５と、記録機構部１５の上部において記録機構部１５に対し、回動することにより記録機構部１５の上部を開閉する、原稿を読み取る読み取り機構部３と、読み取り機構部３を記録機構部１５に対して回動可能に連結する第１の連結部３５および第２の連結部３６と、読み取り機構部３の開閉状態を検出する検出手段５４と、を備え、検出手段５４が、記録機構部１５に設けられる被検出部６２と、読み取り機構部の第１の連結部３５及び第２の連結部３６の少なくともいずれかに設けられ、被検出部６２を検出するセンサー５９とを備えて構成されている。【選択図】図１２
2017149083.tif 000002
【特許請求の範囲】
【請求項１】
被記録媒体に記録を行う記録手段を備える記録機構部と、
前記記録機構部の上部において前記記録機構部に対し、回動することにより前記記録機構部の上部を開閉する、原稿を読み取る読み取り機構部と、
前記読み取り機構部を前記記録機構部に対して回動可能に連結する第１の連結部および第２の連結部と、
前記読み取り機構部の開閉状態を検出する検出手段と、を備え、  前記検出手段が、前記記録機構部に設けられる被検出部と、  前記読み取り機構部の前記第１の連結部及び前記第２の連結部の少なくともいずれかに設けられ、前記被検出部を検出するセンサーと、を備えて構成されている、
ことを特徴とする記録装置。
【請求項２】
請求項１に記載の記録装置において、
前記記録機構部を構成する機構部本体が、前記センサーからの配線を接続する基板を備え、
前記センサーが、前記第１の連結部及び前記第２の連結部の内、前記基板に近い側に設けられている、
ことを特徴とする記録装置。
【請求項３】
請求項１または請求項２に記載の記録装置において、
前記センサーが、前記第１の連結部及び前記第２の連結部の内、前記読み取り機構部の回転軸線に沿う方向において、前記読み取り機構部の重心位置に近い側に設けられている、
ことを特徴とする記録装置。
【請求項４】
請求項１から請求項３のいずれか一項に記載の記録装置において、
前記第１の連結部及び前記第２の連結部のいずれか一方に、前記読み取り機構部の閉動作に負荷を与えるダンパー機構が設けられ、
前記センサーが、前記第１の連結部及び前記第２の連結部の内、前記ダンパー機構が設けられる側に設けられている、
ことを特徴とする記録装置。
【請求項５】
請求項１から請求項４のいずれか一項に記載の記録装置において、前記被検出部は、前記記録機構部において前記読み取り機構部に向けて突出する突起で構成されている、
ことを特徴とする記録装置。
【請求項６】
請求項５に記載の記録装置において、前記センサーは、前記読み取り機構部の筐体の内側に隠れた位置にあるとともに、前記筐体において前記突起を受け入れる受け入れ口が、下側に開口している、
ことを特徴とする記録装置。
【発明の詳細な説明】
【技術分野】
【０００１】
本発明は、被記録媒体に記録を行う記録機構部と、原稿を読み取る読み取り機構部とを備えた記録装置に関する。
【背景技術】
【０００２】
被記録媒体に記録を行う記録装置には、被記録媒体に記録を行う記録機構部と、原稿を読み取る読み取り機構部を一体に備え、前記読み取り機構部が前記記録機構部の上部に配置されるとともに、当該記録機構部の上部に対して回動して開閉可能に設けられる構成のものがある。
【０００３】
このような記録装置においては、前記読み取り機構部が開状態のままで前記記録機構部における印刷動作が実行されること等を回避するため、前記読み取り機構部の開閉状態を検出する開閉センサーを備える場合がある（特許文献１）。
【０００４】
例えば、特許文献１では、プリンタ部２（記録機構部）の筐体１１の上面側に検出部４（開閉センサー）を備え、スキャナ部３（読み取り機構部）の下面において下方に突設された第１押圧部３４が検出部４に差し込まれて検出されたときに、スキャナ部３が閉状態であると判断し、検出部４から第１押圧部３４が離れて非検出状態になったときに、スキャナ部３が開状態であると判断するように構成されている。
【先行技術文献】
【特許文献】
【０００５】
【特許文献１】特許第４８５７８６３号公報
【発明の概要】
【発明が解決しようとする課題】
【０００６】
ここで、特許文献１のプリンターにおいて、開閉するスキャナ部３のヒンジ部を装置背面側としたときに、前記開閉センサーとしての検出部４は装置前面側（開閉するスキャナ部３のヒンジ部から離れた先端側）に設けられている。    検出部４が装置前面側にあると、ユーザーが容易に開閉センサーにアクセスし易く、当該検出部４に不具合が生じる虞が増す。
【０００７】
そこで本発明の目的は、前記開閉センサーにユーザーが触れる虞を低減できる記録装置を提供することにある。
【課題を解決するための手段】
【０００８】
上記課題を解決するため、本発明の第１の態様に係る記録装置は、被記録媒体に記録を行う記録手段を備える記録機構部と、前記記録機構部の上部において前記記録機構部に対し、回動することにより前記記録機構部の上部を開閉する、原稿を読み取る読み取り機構部と、前記読み取り機構部を前記記録機構部に対して回動可能に連結する第１の連結部および第２の連結部と、前記読み取り機構部の開閉状態を検出する検出手段と、を備え、前記検出手段が、前記記録機構部に設けられる被検出部と、前記読み取り機構部の前記第１の連結部及び前記第２の連結部の少なくともいずれかに設けられ、前記被検出部を検出するセンサーと、を備えて構成されている、ことを特徴とする。
【０００９】
本態様によれば、前記読み取り機構部の開閉状態を検出する検出手段を構成するセンサーが、前記第１の連結部及び前記第２の連結部の少なくともいずれかに配置されているので、前記センサーにユーザーが触れる虞を抑制または回避することができる。
【００１０】
本発明の第２の態様に係る記録装置は、第１の態様において、前記記録機構部を構成する機構部本体が、前記センサーからの配線を接続する基板を備え、前記センサーが、前記第１の連結部及び前記第２の連結部の内、前記基板に近い側に設けられている、ことを特徴とする。
【００１１】
本態様によれば、前記センサーが、前記センサーからの配線を接続する基板に近い連結部に設けられるので、前記配線の長さを短くすることができる。また、前記基板への配線の接続を容易に行うことができる。
【００１２】
本発明の第３の態様に係る記録装置は、第１の態様または第２の態様において、前記センサーが、前記第１の連結部及び前記第２の連結部の内、前記読み取り機構部の回転軸線に沿う方向において、前記読み取り機構部の重心位置に近い側に設けられている、ことを特徴とする。
【００１３】
本態様によれば、前記読み取り機構部の前記記録機構部の上部に対する開閉状態を、より高精度に検出することができる。
【００１４】
本発明の第４の態様に係る記録装置は、第１の態様から第３の態様のいずれかにおいて、前記第１の連結部及び前記第２の連結部のいずれか一方に、前記読み取り機構部の閉動作に負荷を与えるダンパー機構が設けられ、前記センサーが、前記第１の連結部及び前記第２の連結部の内、前記ダンパー機構が設けられる側に設けられている、ことを特徴とする。
【００１５】
本態様によれば、前記読み取り機構部の前記記録機構部の上部に対する開閉状態を、より高精度に検出することができる。
【００１６】
本発明の第５の態様に係る記録装置は、第１の態様から第４の態様のいずれかにおいて、前記被検出部は、前記記録機構部において前記読み取り機構部に向けて突出する突起で構成されている、ことを特徴とする。
【００１７】
本態様によれば、前記被検出部を構造簡単にして低コストに構成できる。
【００１８】
本発明の第６の態様に係る記録装置は、第５の態様において、前記センサーは、前記読み取り機構部の筐体の内側に隠れた位置にあるとともに、前記筐体において前記突起を受け入れる受け入れ口が、下側に開口している、ことを特徴とする。
【００１９】
本態様によれば、前記センサーへの容易なアクセスをより確実に抑制できる。
【図面の簡単な説明】
【００２０】
【図１】本発明に係るプリンターの外観斜視図。
【図２】本発明に係るプリンターにおいて手差しカバーを開いた状態を表す外観斜視図。
【図３】本発明に係るプリンターにおいて読み取り機構部を開いた状態を示す斜視図。
【図４】本発明に係るプリンターの用紙搬送経路を示す図。
【図５】読み取り機構部の平面図。
【図６】読み取り機構部においてカバーを外した状態を示す平面図。
【図７】読み取り機構部において原稿台を外した状態を示す斜視図。
【図８】読み取り機構部の底面図。
【図９】図８の要部拡大図。
【図１０】図３の要部拡大図。
【図１１】図１０において読み取り機構部の筐体を外した状態を示す図。
【図１２】読み取り機構部が開いた状態を示す側面図。
【図１３】読み取り機構部が閉じた状態を示す側面図。
【図１４】読み取り機構部が閉じた状態における要部概略断面図。
【図１５】図１０において記録機構部の上面部を外した状態を示す図。
【図１６】読み取り機構部が開いた状態におけるダンパー機構を示す側面図。
【図１７】読み取り機構部が閉じた状態におけるダンパー機構を示す側面図。
【図１８】図１５において基板を外した状態を示す図。
【図１９】図１８における第１のギア近傍のＸ−Ｚ平面断面図。
【発明を実施するための形態】
【００２１】
［実施例１］
まず、本発明の一実施例に係る記録装置の概略について説明する。本実施例において、記録装置の一例としてインクジェット式プリンター（以下、単にプリンターと称する）を例に挙げる。  
図１は、本発明に係るプリンターの外観斜視図である。図２は、本発明に係るプリンターにおいて手差しカバーを開いた状態を表す外観斜視図である。図３は、本発明に係るプリンターにおいて読み取り機構部を開いた状態を示す斜視図である。図４は、本発明に係るプリンターの用紙搬送経路を示す図である。図５は、読み取り機構部の平面図である。図６は、読み取り機構部においてカバーを外した状態を示す平面図である。図７は、読み取り機構部において原稿台を外した状態を示す斜視図である。図８は、読み取り機構部の底面図である。図９は、図８の要部拡大図である。
【００２２】
図１０は、図３の要部拡大図である。図１１は、図１０において読み取り機構部の筐体を外した状態を示す図である。図１２は、読み取り機構部が開いた状態を示す側面図である。図１３は、読み取り機構部が閉じた状態を示す側面図である。図１４は、読み取り機構部が閉じた状態における要部概略断面図である。図１５は、図１０において記録機構部の上面部を外した状態を示す図である。図１６は、読み取り機構部が開いた状態におけるダンパー機構を示す側面図である。図１７は、読み取り機構部が閉じた状態におけるダンパー機構を示す側面図である。図１８は、図１５において基板を外した状態を示す図である。図１９は、図１８における第１のギア近傍のＸ−Ｚ平面断面図である。
【００２３】
＜プリンターの全体構成について＞
以下、プリンター１の全体構成について概説する。  
本発明に係るプリンター１（図１）は、記録機構部本体２内に被記録媒体の一例としての用紙にインクジェット記録を行う記録手段（後述する記録ヘッド３０、図４参照）を備えて構成される記録機構部１５と、記録機構部本体２の上部に設けられ、原稿を読み取る読み取り機構部３（図３）を備えている。即ちプリンター１は、インクジェット記録機能に加えてスキャナー機能を備える複合機として構成されている。尚、図３は、プリンター１において記録機構部１５の側面の外装を外した状態を示している。
【００２４】
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００２５】
読み取り機構部３（図３）は、記録機構部１５の記録機構部本体２に対して回動可能に設けられており、回動することにより、記録機構部１５の上部を閉じた状態（図１）と開いた状態（図３）とをとり得る。読み取り機構部３の構成については後に更に詳述する。  
尚、読み取り機構部３はその上部に開閉可能なカバー４（図５）を備えており、このカバー４が原稿台３ａ（図４）を開閉する様に構成されている。またこのカバー４には原稿押さえマット（不図示）が設けられており、カバー４を閉じた際に、原稿台３ａに載置された原稿が前記原稿押さえマットにより押圧され、その被読み取り面が原稿台３ａに密着するようになっている。
【００２６】
図１のプリンター１の装置前面において符号５は、電源ボタンや各種印刷設定・記録実行を行う操作ボタン、印刷設定内容や印刷画像のプレビュー表示などを行う表示部、等を備えて成る操作パネルである。
【００２７】
また、装置前面において符号９は下段側トレイ１３（図４）に設けられた開閉可能なカバーである。そして図４に示すように、このカバー９を開くことにより、下段側トレイ１３、上段側トレイ１４、排紙受けトレイ８、のこれらが露呈する様に構成されている。
【００２８】
排紙受けトレイ８は、図示しないモーターによって記録機構部本体２に収納された状態（図１）と、記録機構部本体２の前方側に突出した状態（図４）と、を取り得る様に設けられており、記録機構部本体２の前方側に突出した状態となることで、記録が行われて排出される用紙を受けることができる。
【００２９】
下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３０】
また、記録機構部本体２の後方上部において符号６は開閉可能な手差しカバーであり、この手差しカバー６を図２のように開くことにより、手差しトレイ７を利用した用紙の手差しでの給紙が行える様になっている。  
尚、プリンター１の記録機構部１５における用紙搬送経路については後に説明する。
【００３１】
＜読み取り機構部の構成について＞
続いて、読み取り機構部３の構成について説明する。  
読み取り機構部３（図３）は、前述したように、記録機構部１５の上部において、記録機構部１５の記録機構部本体２に対して回動可能に連結されており、回動することにより記録機構部１５の上部を開閉する。  
より具体的には、読み取り機構部３は、第１の連結部３５および第２の連結部３６において、記録機構部１５に対して回動可能に連結されている。第１の連結部３５および第２の連結部３６には、それぞれに回動軸３５ａ、３６ａ（図６）が設けられており、記録機構部本体２側に設けられる不図示の軸受けに回動軸３５ａ、３６ａが軸支されて、記録機構部１５の上部を開閉するように読み取り機構部３が回動する。  
尚、本実施例において、第１の連結部３５および第２の連結部３６は、読み取り機構部３の装置本体を構成する筐体４０に一体に設けられている。
【００３２】
図６に示すように、読み取り機構部３は原稿台３ａを備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄにより構成されており、これらフレーム３３ａ、３３ｂ、３３ｃ、３３ｄにより画設された矩形領域（符号３４）が、筐体４０内を移動する読み取り手段３７によって読み取りが可能な原稿読み取り領域３４となる。  
すなわち、本実施例において読み取り機構部３はフラットべッド型のスキャナーであり、原稿台３ａの下側に、読み取り手段３７が原稿台３ａに対して相対的に移動可能に設けられている。
【００３３】
読み取り手段３７は筐体４０内に設けられ、主走査方向（Ｙ軸方向）に延設されるとともに、後述する移動機構４３により、前記主走査方向と交差する副走査方向（Ｘ軸方向）に移動可能に構成されている。尚、本実施例では、前記主走査方向は原稿読み取り領域の短辺方向に対応しており、前記副走査方向が原稿読み取り領域の長辺方向に対応している。  
読み取り手段３７は、その移動方向（Ｘ軸方向）において、原稿読み取り領域３４の＋Ｘ側の位置（図６において一点鎖線で示す読み取り手段３７の位置）から−Ｘ側の位置（図６において二点鎖線で示す読み取り手段３７の位置）まで移動する。したがって、符号３８の点線で示す矩形領域が読み取り手段３７の移動領域３８である。
【００３４】
尚、筐体４０の−Ｙ側の内壁面に沿って設けられるフレキシブルフラットケーブル５２（以下、単にケーブル５２と称する）は、図７に示すように、固定部５８ａ、５８ｂ、５８ｃによって内壁面に固定されている。ケーブル５２において、固定部５８ｃよりも＋Ｘ側の部分はフリーの状態となっており、読み取り手段３７の移動に追従して変形可能に構成されている。
【００３５】
読み取り手段３７は、読取センサー（符号なし）と読取センサーを保持するセンサーキャリッジ（符号なし）とによって構成されている。  
読取センサーは、不図示の光源と受光部を備え、原稿台３ａに載置された原稿に光源から光を照射し、該原稿からの反射光を受光部で受光して原稿の情報を読み取る光学センサーであり、例えばＣＣＤ（Charge Coupled Devices）方式或いはＣＩＳ（Contact
Image Sensor)方式の光学センサーを用いることができる。
【００３６】
続いて、プリンター１は、図８〜図１４を参照するに、読み取り機構部３の開閉状態を検出する検出手段５４を備えている。より具体的には、検出手段５４（図１１を参照）は、記録機構部１５に設けられる被検出部６２と、読み取り機構部３の第１の連結部３５に設けられ、被検出部６２を検出するセンサー５９とを備えて構成されている。  
本実施例においてセンサー５９は、電気的な導通状態と非導通状態と切り替えるレバー式のセンサーであり、センサー本体６１とレバー６０により構成されている。センサー５９において、被検出部６２（後述する突起６３）によってレバー６０が押されると電気的に導通状態になり、被検出部６２を検出したと判断される。一方、被検出部６２がレバー６０から離れると電気的に非導通状態になり、被検出部６２が検出されない状態となる。  
このような構成のセンサー５９の他、例えば、被検出部６２が接触して変位するレバー６０の変位を検出する構成のセンサーや、被検出部６２の有無によって光を遮断或いは通過させる構成の光センサー（透過式センサー）を用いることもできる。
【００３７】
次に、被検出部６２は、図１０〜図１３に示すように、記録機構部１５において読み取り機構部３に向けて突出する突起６３として構成されている。突起６３は、記録機構部１５の上面部６４に設けられている。  
センサー５９は、図１４に示すように、筐体４０に設けられる第１の連結部３５の内側に隠れた位置にあり、読み取り機構部３を閉めると、第１の連結部３５の下側に開口している受け入れ口６５（図８、図９も参照）に突起６３が受け入れられるようになっている。  
図１３に示すように読み取り機構部３を閉めると、突起６３によってレバー６０が押され、通電したことをもって読み取り機構部３が閉状態であると判断される。また、図１２に示すように読み取り機構部３を開けると、突起６３によるレバー６０の押圧が解除されるとともに通電も解除され、これをもって読み取り機構部３が開状態であると判断される。  
尚、センサー５９のセンサー本体６１は、図１４に示すように配線６８を介して記録機構部１５側に設けられる基板６６に電気的に接続されている。
【００３８】
以上のように、読み取り機構部３の開閉状態を検出する検出手段５４を構成するセンサー５９が、第１の連結部３５に配置されていることにより以下の作用効果が得られる。  
センサー５９が設けられる読み取り機構部３の回動軸３５ａの近傍、すなわちヒンジ部近傍は、回動軸３５ａから離れた位置にある装置前面側（＋Ｙ側）の先端ほど大きく開かない。したがってセンサー５９が目に付き難く、センサー５９にユーザーが触れる虞を抑制または回避することができる。
【００３９】
また、センサー５９が第１の連結部３５に配置されると、被検出部６２としての突起６３も回動軸３５ａがある装置背面側（−Ｙ側）に設けられることとなる。  
突起６３（被検出部６２）が読み取り機構部３の先端側にあると、突起６３がプリンター１の操作の妨げになる場合があるが、本実施例では突起６３がヒンジ部近傍に設けられるので、開閉する読み取り機構部３の先端側に突起６３が設けられる場合よりも操作性が良く、デザイン的にもすっきりとした外観とすることができる。
【００４０】
また、被検出部６２が、記録機構部１５に突起６３として設けられていることにより、被検出部６２を構造簡単にして低コストに構成できる。
【００４１】
更に、本実施例ではセンサー５９が読み取り機構部３の筐体４０の内側に隠れた位置にあり、突起６３を受け入れる受け入れ口６５（図１４）が下側に開口していることにより、ユーザーによるセンサー５９への容易なアクセスをより確実に抑制できる。  
また、下側に開口している受け入れ口６５にセンサー５９が設けられるので、受け入れ口６５内に塵や埃等が溜まり難く、センサー５９に塵や埃等が付着する虞を低減することができる。
【００４２】
続いて、記録機構部１５を構成する記録機構部本体２は、図１５に示すように、第１の連結部３５に近い側の側面５６に、センサー５９（センサー本体６１）からの配線６８（図１４）を接続する基板６６を備えている。  
言い換えると、センサー５９は、第１の連結部３５及び第２の連結部３６の内、記録機構部本体２に設けられる基板６６に近い側の連結部（第１の連結部３５）に設けられている。
【００４３】
センサー５９を、センサー５９からの配線６８を接続する基板６６に近い連結部に設けることにより、配線６８の長さを短くすることができる。また、基板６６への配線６８の接続を容易に行うことができる。勿論、基板６６から離れた連結部（本実施例においては第２の連結部３６）にセンサー５９（検出手段５４）を設ける構成とすることも可能である。
【００４４】
また、本実施例においてセンサー５９は、第１の連結部３５及び第２の連結部３６の内、読み取り機構部３の回転軸線に沿う方向（Ｘ軸方向）において、読み取り機構部３の重心位置に近い側に設けられている。  
本実施例において、第１の連結部３５には、読み取り手段３７の移動機構４３（図７）の動力源であるモーター４４が配置されている。読み取り手段３７の動力源であるモーター４４は、比較的重量がある（重たい）場合が多い。したがって、読み取り機構部３の重心は、読み取り機構部３の回転軸線に沿うＸ軸方向において、第１の連結部３５側に寄っている。
【００４５】
第１の連結部３５側に読み取り機構部３の重心が寄っていると、読み取り機構部３が閉じた状態において、読み取り機構部３が前記重心に近い第１の連結部３５側に傾き易く、突起６３によって一層確実にセンサー５９のレバー６０が押される構成となる。したがって、読み取り機構部３の記録機構部１５の上部に対する開閉状態、特に閉状態を、より高精度に検出することができる。
【００４６】
また、本実施例において、第１の連結部３５側には読み取り機構部３の閉動作に負荷を与えるダンパー機構７０（図１２、図１６）が設けられている。  
言い換えると、センサー５９は、第１の連結部３５及び第２の連結部３６の内、ダンパー機構７０が設けられる側に設けられている。  
第１の連結部３５及び第２の連結部３６のいずれか一方にダンパー機構７０が設けられていると、読み取り機構部３が閉じる際、ダンパー機構７０が設けられていない、すなわち、閉動作に負荷がかからず、自重により閉じようとする連結部（第２の連結部３６）側が先に閉じ、ダンパー機構７０により閉動作に負荷がかかる側の連結部（第１の連結部３５）側が後から閉じるように動作する場合がある。  
したがって、ダンパー機構７０が設けられるために第２の連結部３６よりもゆっくり閉じる第１の連結部３５に、センサー５９を設けることによって、読み取り機構部３の記録機構部１５の上部に対する開閉状態、特に閉状態を、より高精度に検出することができる。  
尚、ダンパー機構７０については後で詳しく説明する。
【００４７】
センサー５９は、第２の連結部３６側に設けることも可能である。センサー５９を第２の連結部３６に配設する場合には、モーター４４、基板６６、及びダンパー機構７０も第２の連結部３６に近い側の側面５８に設けられていることが好ましい。
【００４８】
＜ダンパー機構について＞
次に、図１５〜図１９を参照して、読み取り機構部３の閉動作に負荷を与えるダンパー機構７０について説明する。  
ダンパー機構７０は、扇形ラック７１と、扇形ラック７１に歯合する第１のギア７２と、第１のギア７２と歯合する第２のギア７３と、第２のギア７３と歯合する第３のギア７４と、を備え、第３のギア７４に回転抵抗を付与する抵抗部材７５を設けることにより、読み取り機構部３の閉動作に負荷を与えるダンパー機能が発揮される様になっている。
【００４９】
扇形ラック７１は、読み取り機構部３に対してネジ７６、７６によって固定されており、読み取り機構部３の回動軸３５ａと同軸に回動するようになっている。また、扇形ラック７１はガイド溝７７を備え、読み取り機構部３が開閉する際（図１６及び図１７を参照）に、記録機構部１５の記録機構部本体２側に固定されるガイド軸７８にガイド溝７７が係合しつつ移動するようになっている。  
尚、本実施例ではラックを扇形にした扇形ラック７１を用いることにより、プリンター１の高さ方向のサイズを抑える構成としているが、ストレートタイプのラックを用いることもできる。
【００５０】
ここで、ダンパー機構７０は、第１の連結部３５側、すなわち、プリンター１の側面５６側（図３も参照）に設けられている。そして、同じく側面５６には、センサー５９が配線される基板６６（図１５）が設けられている。本実施例においてダンパー機構７０と基板６６の少なくとも一部は、同じ側面５６近傍において、装置奥行き方向（Ｙ軸方向）及び装置高さ方向（Ｚ軸方向）にオーバーラップして設けられている。
【００５１】
基板６６は、図１５に示すようにダンパー機構７０の外側（−Ｘ方向）に設けられている。より具体的には、基板６６は、基板６６を保護するためのシールドプレート８０（図１８も参照）を介してダンパー機構７０の外側に設けられている。
【００５２】
シールドプレート８０には、第１のギア７２の支持軸７２aと第３のギア７４の支持軸７４aに対応する位置に、位置決め部８１ａ、８１ｂを備えている。  
図１９を参照して位置決め部８１ａ、８１ｂの構成について説明する。図１９は、第１のギア７２用の位置決め部８１ａについて説明する図である。尚、第３のギア７４の支持軸７４a用の位置決め部８１ｂは、位置決め部８１ａと同様の構成であり、以下においては位置決め部８１ａを例に挙げて説明して位置決め部８１ｂについての説明は省略する。
【００５３】
シールドプレート８０において位置決め部８１ａは、図１９に示すように第１のギア７２の支持軸７２ａに対応する穴部として形成されており、更に、基板６６が設けられる面８０ａに対して交差する方向（Ｘ軸方向）に突出する様に、バーリング加工により形成されたバーリング部８２を備えている。バーリング部８２は、第１のギア７２の支持軸７２ａの先端を支える部位である。バーリング部８２によって支えられることにより、支持軸７２ａが位置決めされる。
【００５４】
同様に、位置決め部８１ｂによって、第３のギア７４の支持軸７４aも位置決めすることができ、第１のギア７２の支持軸７２ａと第３のギア７４の支持軸７４aの軸間距離を高精度に保つことができる。以って、読み取り機構部３の安定した開閉を実現することができる。  
また、シールドプレート８０に基板６６の保護とダンパー機構７０の各ギアの軸支えの両方の機能を持たせることにより、それぞれの機能を有する別部品を設けることなく、部品点数を減らしてプリンター１を小型化することができる。    尚、本実施例ではダンパー機構７０を構成する複数のギアの内、一部のギアの支持軸（第１のギア７２の支持軸７２aと第３のギア７４の支持軸７４a）に対応する位置決め部８１ａ、８１ｂを設ける構成としたが、ダンパー機構７０を構成するすべてのギアに対して位置決め部を設けることもできる。
【００５５】
＜読み取り手段の移動機構について＞
読み取り手段３７（図７）は、その下部に設けられる不図示のスライド部においてガイド部４２に対して移動可能に係合し、ガイド部４２に案内されて、読み取り手段３７を移動させる動力源としてのモーター４４の動力によって副走査方向（Ｘ軸方向）に移動するように構成されている。  
より具体的には、読み取り手段３７は、以下に説明するベルト駆動による移動機構４３により駆動され、ガイド部４２に案内されてＸ軸方向にスライド移動する。
【００５６】
読み取り手段３７の移動機構４３は、図７に示すように、モーター４４によって駆動される駆動プーリー４５と、駆動プーリー４５に従動回転可能な２つの従動プーリー４６、従動プーリー４７と、駆動プーリー４５、従動プーリー４６、及び従動プーリー４７との間に係回される無端ベルト４８を備えている。  
従動プーリー４６と従動プーリー４７は、ガイド部４２の一方側端部付近と他方側端部付近とに配置されている。  
尚、符号４９は無端ベルト４８にテンションを与える付勢部である。付勢部４９は、駆動プーリー４５と従動プーリー４６の間の他、駆動プーリー４５と従動プーリー４７の間、或いは従動プーリー４６と従動プーリー４７に設けることもできる。
【００５７】
読み取り手段３７は、無端ベルト４８においてガイド部４２に沿う部分、すなわち、従動プーリー４６及び従動プーリー４７との間の位置において、無端ベルト４８に固定されており、モーター４４が駆動することによって無端ベルト４８が回動し、センサーキャリッジ４１が無端ベルト４８に牽引されてＸ軸方向に往復移動するように構成されている。この構成により、ガイド部４２近くに設けられる無端ベルト４８によって読み取り手段３７を牽引するので、読み取り手段３７を円滑に移動させることができる。
【００５８】
また、重量物であるモーター４４が読み取り機構部３の回動軸３５ａが設けられる第１の連結部３５に配置されていると、読み取り機構部３を開く際により小さい力で開くことができる。また、閉じる際も慣性が小さくなるので、例えば読み取り機構部３を閉じた際の衝撃等により読み取り機構部３や記録機構部１５が破損する虞を抑制できる。
【００５９】
尚、モーター４４は、第２の連結部３６側に配置することも可能である。  
＜記録機構部における用紙搬送経路について＞
以下において、図４を参照しつつプリンター１の記録機構部１５における用紙搬送経路について説明する。初めに、手差しトレイ７からの用紙の給送について説明し、その後、装置底部に設けられる下段側トレイ１３或いは上段側トレイ１４からの用紙の給送について説明する。  
尚、図４において、手差しトレイ７からの用紙Ｐの給送経路Ｔ１を二点鎖線で示している。また、下段側トレイ１３或いは上段側トレイ１４から搬送駆動ローラー２４の上流側までの用紙Ｐの給送経路Ｔ２を点線で示している。
【００６０】
手差しトレイ７のセット口５０にセットされた用紙は、最上位の用紙が第２給送ローラー２１によってピックアップされて下流側に送られる。  
第２給送ローラー２１の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００６１】
続いて液体としてのインクを吐出する記録ヘッド３０は、キャリッジ２９の底部に設けられ、当該キャリッジ２９は図示しないモーターによって副走査方向（Ｘ軸方向）に往復動する様に駆動される。
【００６２】
記録ヘッド３０と対向する位置には、搬送される用紙Ｐを支持する媒体支持部材２８が設けられ、当該媒体支持部材２８によって、用紙Ｐと記録ヘッド３０との間の間隔（ＰＧ）が規定される。  
そして媒体支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００６３】
またプリンター１は、装置底部に下段側トレイ１３及び上段側トレイ１４を備え、当該下段側トレイ１３或いは上段側トレイ１４からも用紙を１枚ずつ給送することができる。  
上段側トレイ１４は、給送可能位置（図４）と、装置前面側（図４において右方向：上段側トレイ１４の引き抜き方向側）に移動した退避位置(不図示）との間をスライド（変位）可能に設けられており、図示しないモーターの動力を受けて、給送可能位置と退避位置とを変位する様に構成されている。  
尚、図４においては、下段側トレイ１３に収容される用紙を符号Ｐ１で、上段側トレイ１４に収容される用紙を符号Ｐ２で、それぞれ示している（以下、特に区別する必要がない場合は「用紙Ｐ」と言う）。
【００６４】
図示しないモーターによって回転駆動される第１給送ローラー（ピックアップローラーとも呼ばれる）１０は、回動軸１２を中心に揺動するローラー支持部材１１（ピックアップアームや揺動部材とも呼ばれる）に設けられており、上段側トレイ１４が最も装置後方側（図４において左方向：上段側トレイ１４の装着方向側であり、用紙送り出し方向側でもある）にスライドした突き当たり位置にあるとき、即ち上段側トレイ１４の給送可能位置では、第１給送ローラー１０が上段側トレイ１４に収容された用紙Ｐ２の最上位のものと接して回転することにより、当該最上位の用紙Ｐ２を上段側トレイ１４から送り出す。
【００６５】
一方、上段側トレイ１４が装置前面側（＋Ｙ側）にスライドした状態、即ち上段側トレイ１４が前述した退避位置にあるときは、ローラー支持部材１１が回動軸１２を中心に揺動し、第１給送ローラー１０が下段側トレイ１３に収容された用紙Ｐ１の最上位のものと接することができ、第１給送ローラー１０が回転することにより、当該最上位の用紙Ｐ１を下段側トレイ１３から送り出すようになっている。  
尚、下段側トレイ１３及び上段側トレイ１４は、前述したように、いずれか一方側が装着されていない場合であっても、他方側から用紙を給送可能となっている。
【００６６】
第１給送ローラー１０の下流側には、図示しないモーターによって回転駆動される中間ローラー１７が設けられており、この中間ローラー１７によって用紙Ｐは湾曲反転させられ、装置前方側へと向かう。尚、符号１９、２０は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００６７】
点線で示す給送経路Ｔ２に沿って送られた用紙は、搬送駆動ローラー２４及び搬送従動ローラー２５の手前において給送経路Ｔ１（二点鎖線）と合流し、それ以降下流側においては、手差しトレイ７から給送された用紙と同様に、搬送駆動ローラー２４及び搬送従動ローラー２５によって搬送され、記録ヘッド３０による記録が行われた後に、排出駆動ローラー３１及び排出従動ローラー３２により排紙受けトレイ８へ向けて排出される。
【００６８】
また、用紙Ｐの両面を記録する場合には、表（おもて）面を記録ヘッド３０で記録した後、スイッチバックさせることで、用紙Ｐを中間ローラー１７の下側から給送経路に侵入させ、湾曲反転させることで、用紙Ｐの裏（うら）面に記録を行うことができる。尚、符号１８は中間ローラー１７の回転に従動回転可能な従動ローラーである。
【００６９】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７０】
１…プリンター（記録装置）、２…記録機構部本体、３…読み取り機構部、
４…カバー、５…操作パネル、６…手差しカバー、７…手差しトレイ、
８…排紙受けトレイ、９…カバー、１０…第１給送ローラー、
１１…ローラー支持部材、１２…回動軸、１３…下段側トレイ、
１４…上段側トレイ、１５…記録機構部、１７…中間ローラー、１８…従動ローラー、
１９…従動ローラー、２０…従動ローラー、２１…第２給送ローラー、
２４…搬送駆動ローラー、２５…搬送従動ローラー、２８…媒体支持部材、
２９…キャリッジ、３０…記録ヘッド（記録手段）、３１…排出駆動ローラー、
３２…排出従動ローラー、３３ａ、３３ｂ、３３ｃ、３３ｄ…フレーム、
３４…原稿読み取り領域、３５…第１の連結部、３６…第２の連結部、
３７…読み取り手段、３８…移動領域、４０…筐体、４２…ガイド部、４３…移動機構、
４４…モーター、４５…駆動プーリー、４６…第１従動プーリー、
４７…第２従動プーリー、４８…無端ベルト、４９…付勢部、５０…セット口、
５２…フレキシブルフラットケーブル（ケーブル）、５４…検出手段、
５６…側面、５７…側面、５８ａ、５８ｂ、５８ｃ…固定部、５９…センサー、
６０…レバー、６１…センサー本体、６２…被検出部、６３…突起、
６４…上面部、６５…受け入れ口、６６…基板、６８…配線、
７０…ダンパー機構、７１…扇形ラック、７２…第１のギア、７３…第２のギア、
７４…第３のギア、７５…抵抗部材、７６…ネジ、７７…ガイド溝、
７８…ガイド軸、８０…シールドプレート、８１ａ、８１ｂ…位置決め部、
８２…バーリング部、Ｐ、Ｐ１、Ｐ２  用紙（被記録媒体）
【図１】
2017149083.tif 000003
【図２】
2017149083.tif 000004
【図３】
2017149083.tif 000005
【図４】
2017149083.tif 000006
【図５】
2017149083.tif 000007
【図６】
2017149083.tif 000008
【図７】
2017149083.tif 000009
【図８】
2017149083.tif 000010
【図９】
2017149083.tif 000011
【図１０】
2017149083.tif 000012
【図１１】
2017149083.tif 000013
【図１２】
2017149083.tif 000014
【図１３】
2017149083.tif 000015
【図１４】
2017149083.tif 000016
【図１５】
2017149083.tif 000017
【図１６】
2017149083.tif 000018
【図１７】
2017149083.tif 000019
【図１８】
2017149083.tif 000020
【図１９】
2017149083.tif 000021